(57)【要約】【課題】さらなる省エネルギ化を達成することが可能な照明装置を提供する。【解決手段】照明装置はライトとライトを遠隔操作するリモコンとを備え、ライトは光源部と光源部の動作を制御する制御部とを有し、制御部は、リモコンから節電操作を受け付けると、当該節電操作を受け付けたときの第１の明るさＩ１を第１の時間Ｔ１維持した後に第２の明るさＩ２に減光するように光源部を点灯させる。【選択図】図９
2016219160.tif 000002
【特許請求の範囲】
【請求項１】
光源部と前記光源部の動作を制御する制御部とを有するライトと、前記ライトを遠隔操作するリモコンとを備える照明装置において、
前記制御部は、前記リモコンから節電操作を受け付けると、当該節電操作を受け付けたときの第１の明るさを第１の時間維持した後に第２の明るさに減光するように前記光源部を点灯させる
照明装置。
【請求項２】
前記第２の明るさは、前記第１の明るさに対して３０％以上７０％以下の範囲内にある
請求項１に記載の照明装置。
【請求項３】
前記制御部は、前記第２の明るさで第２の時間点灯させる
請求項２に記載の照明装置。
【請求項４】
前記ライトは、補助光源部を有し、
前記制御部は、前記第２の時間経過後に前記光源部を消灯させ、前記補助光源部を第３の時間点灯させる
請求項３に記載の照明装置。
【請求項５】
前記制御部は、前記第３の時間経過後に前記補助光源部を消灯させる
請求項４に記載の照明装置。
【請求項６】
前記第１の時間は前記第２の時間より長く、
前記第２の時間は前記第３の時間よりも長い
請求項５に記載の照明装置。
【請求項７】
前記ライトはブザーを備え、
前記制御部は前記第１の時間の終了に合わせて前記ブザーにブザー音を発生させる
請求項１〜６に記載の照明装置。
【発明の詳細な説明】
【技術分野】
【０００１】
本発明はライトとリモコンとを備える照明装置に関する。
【背景技術】
【０００２】
最近の照明装置は光源としてＬＥＤを利用し、調光機能や調色機能等の各種の機能を有し付加価値を高めている。ライトの点灯、消灯、明るさ、光色等を遠隔操作する無線式のリモコンを備える照明装置も提案されている（例えば特許文献１）。
また、従来から省エネルギを目的として、点灯モードをエコモードに切り替えられる照明装置が提案されている（例えば特許文献２）。
【先行技術文献】
【特許文献】
【０００３】
【特許文献１】特開２０１２−５９４７４号公報
【特許文献２】特開２０１０−１８６７０８号公報
【発明の概要】
【発明が解決しようとする課題】
【０００４】
従来から点灯モードを変化させて省エネルギを達成する技術は提案されているが、さらなる省エネルギ化を図ることができる照明装置は提案されていない。
本発明は、上記の課題に鑑み、さらなる省エネルギ化を達成することができる照明装置を提供することにある。
【課題を解決するための手段】
【０００５】
本発明に係る照明装置は、光源部と前記光源部の動作を制御する制御部とを有するライトと、前記ライトを遠隔操作するリモコンとを備える照明装置において、前記制御部は、前記リモコンから節電操作を受け付けると、当該節電操作を受け付けたときの第１の明るさを第１の時間維持した後に第２の明るさに減光するように前記光源部を点灯させる。
【発明の効果】
【０００６】
上記構成によれば、第２の明るさに減光しているのでさらなる省エネルギ化を達成することができる。
【図面の簡単な説明】
【０００７】
【図１】実施形態の照明装置の外観斜視図である。
【図２】実施形態のシーリングライトの断面図である。
【図３】実施形態のシーリングライトの分解斜視図である。
【図４】実施形態のライト本体の保護カバーを一部外した状態を前方から見た図である。
【図５】実施形態の光源部の一部を前方から見た拡大図である。
【図６】実施形態のセンタカバーの斜視図である。
【図７】実施形態のリモコンの分解斜視図である。
【図８】実施形態のシーリングライトのブロック図である。
【図９】実施形態の節電モードを示す図である。
【図１０】実施形態のシーリングライトの全体のフローチャートである。
【図１１】実施形態のシーリングライトの点灯処理のフローチャートである。
【図１２】実施形態のシーリングライトの消灯処理のフローチャートである。
【図１３】実施形態のシーリングライトの節電モード処理のフローチャートである。
【図１４】実施形態のリモコンのブロック図である。
【図１５】実施形態のリモコンのフローチャートである。
【発明を実施するための形態】
【０００８】
＜概要＞
本発明の一態様に係る照明装置は、光源部と前記光源部の動作を制御する制御部とを有するライトと、前記ライトを遠隔操作するリモコンとを備える照明装置において、前記制御部は、前記リモコンから節電操作を受け付けると、当該節電操作を受け付けたときの第１の明るさを第１の時間維持した後に第２の明るさに減光するように前記光源部を点灯させる。
別態様に係る照明装置において、前記第２の明るさは、前記第１の明るさに対して３０％以上７０％以下の範囲内にある。これにより節電効果が得られる。
別態様に係る照明装置において、前記制御部は、前記第２の明るさで第２の時間点灯させる。これにより、使用者が第２の明るさに変化したことに気づき、例えば消灯に向けての準備できる明るさの下で作業ができる。
【０００９】
別態様に係る照明装置において、前記ライトは、補助光源部を有し、前記制御部は、前記第２の時間経過後に前記光源部を消灯させ、前記補助光源部を第３の時間点灯させる。これにより節電効果が得られる。また、これにより使用者の節電意識を向上させることができる。
別態様に係る照明装置において、前記制御部は、前記第３の時間経過後に前記補助光源部を消灯させる。これにより節電効果が得られる。
前記第１の時間は前記第２の時間より長く、前記第２の時間は前記第３の時間よりも長い。これにより、消灯に向けての作業が可能となる。
別態様に係る照明装置において、前記ライトはブザーを備え、前記制御部は前記第１の時間の終了に合せて前記ブザーにブザー音を発生させる。これにより使用者の節電意識を向上させることができる。
＜実施形態＞
以下に本発明の一態様である照明装置について図面を参照しながら詳細に説明する。ここでは、ライトがシーリングライトである照明装置を一例として説明する。
【００１０】
１．照明装置
照明装置１は、図１に示すように、ライトの一例であるシーリングライト３と、シーリングライト３を遠隔操作するためのリモコン５とを有する。シーリングライト３は、壁等に設けられたスイッチ（図示省略）の操作により点灯及び消灯する他、リモコン５の操作によっても点灯及び消灯する。
シーリングライト３はリモコン５からの節電モードの設定信号を受信すると節電モードで点灯する。
シーリングライト３は、電気消費情報を表示するための消費電力値を算出する消費電力値算出機能を有し、リモコン５からの信号により算出した消費電力値をリモコン５に送信する。
ここでのシーリングライト３は、上記の節電モード点灯機能や電気消費情報表示機能以外に、調光機能、調色機能、タイマー機能等の機能を少なくとも１つ有してもよく、リモコン５からの信号により調光したり、調色したりする。なお、シーリングライト３は他の機能を有してもよい。
以下、シーリングライト３及びリモコン５について説明する。
【００１１】
２．シーリングライト
シーリングライト３を図１から図６を用いて説明する。ここでは図１〜図３を主に用いる。
シーリングライト３は天井等の設置面７に取り付けられて使用される。シーリングライト３は、ライト本体１１と、ライト本体１１に着脱自在に装着される透光性カバー１３とで構成されている。透光性カバー１３はライト本体１１における設置面７と反対側を覆う。なお、シーリングライト３から光が出射される側を、表側、前側とする。
ライト本体１１は設置面７の被取付部材９にアダプタ１５を介して付け外し自在に取り付けられる。この後に透光性カバー１３をライト本体１１に装着することで、シーリングライト３が設置面７に取り付けられる。
被取付部材９として例えばロゼット、引掛けシーリング等がある。アダプタ１５は被取付部材９に着脱自在に取り付けられる。
【００１２】
（１）ライト本体
ライト本体１１を図３及び図４を主に使用して説明する。
ライト本体１１は、複数のＬＥＤ２１から構成される光源部２３、光源部２３の動作を制御するための回路部２５、中央に開口２６を有し開口２６の周りに光源部２３を搭載する搭載部２７、アダプタ１５に付け外し自在に取り付けられる取付部２９、透光性カバー１３を取り付けるためのカバー取付部３１、リモコン５と通信するための通信部６０（図８参照）とを少なくとも有している。
ライト本体１１は、上記構成以外に、例えば、光源部２３を覆う光源カバー部３３、回路部２５を収容する回路収容部３５、搭載部２７の開口２６を覆うセンタカバー部３７の少なくとも１つを有してもよい。また、ライト本体１１は光源部２３以外に補助光源部を有してもよく、ここでは、補助光源部として常夜灯５９を有している。
以下、各部について説明する。
【００１３】
（１−１）光源部
光源部２３を図３〜図５を主に使用して説明する。
光源部２３は、複数個のＬＥＤ２１と、複数個のＬＥＤ２１を実装するための１枚又は複数枚（ここでは８枚である。）の実装基板４１とを有する。複数個のＬＥＤ２１は光色が異なる複数種類が用いられている。ここでの複数個のＬＥＤ２１は、電球色と昼光色との２種類からなり、異なる給電路で電力が給電される（図１０参照）。なお、ＬＥＤ２１の発光色を区別する場合、電球色用のＬＥＤの符号を「２１ａ」とし、昼光色用のＬＥＤの符号を「２１ｂ」とする。
複数枚の実装基板４１は中央が開口するように環状に配され、周方向に隣接する実装基板４１はリード線４２により接続される。
【００１４】
（１−２）回路部
回路部２５を図３、図４及び図８を主に使用して説明する。
回路部２５は、複数個の電子部品４３，４５と、複数個の電子部品４３，４５が実装される１枚又は複数枚（ここでは１枚である。）の回路基板４７とを有する。なお、便宜上、複数個の電子部品のうち、２個の電子部品に符号「４３」、「４５」を付している。
複数個の電子部品４３，４５により、例えば、電源手段２０１、供給手段２０３、制御手段２０５等が構成される。なお制御手段２０５は本発明の「制御部」の一例に相当する。制御手段２０５は、リモコン５からの信号により、光源部２３や常夜灯５９を点灯及び消灯したり、節電モードで光源部２３や常夜灯５９を点灯させたり等の動作を制御する。制御手段２０５は、リモコン５からの指示（信号）で消費電力値を算出して当該消費電力値をリモコン５への送信したりする。
回路基板４７が回路収容部３５に取り付けられ、回路収容部３５が搭載部２７の裏面側に取り付けられる。なお、回路部２５のブロック図、制御手段２０５のフローチャート、節電モード等については後述する。
【００１５】
（１−３）搭載部
搭載部２７を図２及び図４を主に使用して説明する。
搭載部２７は中央に開口２６を有する板状をしている。開口２６にはアダプタ１５が嵌合する。ここでの搭載部２７の概観形状は床側（表側）から見たときに円形状をしているが、例えば外観形状が正方形、長方形等の他の形状であってもよい。
搭載部２７の表面には、開口２６が存在する内側から外側に向けて、光源部２３を搭載するための光源部搭載領域、光源カバー部３３を取り付けるための光源カバー取付領域、カバー取付部３１を搭載するためのカバー取付部搭載領域が設けられている。搭載部２７の裏面における開口２６の周辺部には取付部２９を搭載するための取付部搭載領域が設けられている。
【００１６】
（１−４）取付部
取付部２９を図２及び図３を主に使用して説明する。
取付部２９は底壁に開口を有する有底筒状をしている。筒壁の前端が搭載部２７に当接し且つ底壁の裏面が回路収容部３５に当接する状態で、取付部２９の開口の周辺部が回路収容部３５に固定される。取付部２９のアダプタ１５への取り付けはアダプタ１５の係止爪１５ａが取付部２９の底壁の表面であって開口の周辺部に係合することで行われる。
【００１７】
（１−５）カバー取付部
カバー取付部３１を図４を主に使用して説明する。
カバー取付部３１は、複数個（ここでは３個である。）あり、搭載部２７の表面であって光源カバー部３３の外側部分を周方向に間隔をおいた複数個所に設けられている。カバー取付部３１は、後述の後カバー７１の後端部を搭載部２７の表面に当接させた状態で搭載部２７の開口２６を中心として後カバー７１を所定方向に回転させたときに、後カバー７１の係合凸部８１（図３参照）が挿入して係合する係合凹部を有している。
【００１８】
（１−６）光源カバー部
光源カバー部３３を図３及び図４を主に使用して説明する。
光源カバー部３３は光源部２３を表側から覆う。光源カバー部３３は複数個（例えば４個である。）のカバー体５１からなる。カバー体５１は表側から見たときに円環を１／４にしたような形状をしている。カバー体５１は横断面において中央部が張り出すドーム状をしている。カバー体５１の外周部分が搭載部２７の光源カバー取付領域に取り付けられる。
【００１９】
（１−７）回路収容部
回路収容部３５を図３を主に使用して説明する。
回路収容部３５は、偏平な有底筒状をし、底壁に開口５３を有している。底壁の表面（内面）に回路基板４７が取り付けられ、開口５３の周辺部に取付部２９が取り付けられる。回路収容部３５は筒壁の前端に外鍔部５４を有し、当該外鍔部５４が搭載部２７に固定される。
【００２０】
（１−８）センタカバー部
センタカバー部３７を図３、図４及び図６を主に使用して説明する。
センタカバー部３７は搭載部２７の開口２６を覆う状態で搭載部２７の開口２６の周辺部に取り付けられる。センタカバー部３７は、筒部５５と、筒部５５の前端開口を開閉自在に閉じる蓋部５７とを有している。ライト本体１１をアダプタ１５に取り付ける際には蓋部５７を開状態にして行われる。なお、蓋部５７には、常夜灯５９、リモコン５へ信号（消費電力値）を送信するための送信素子６１、リモコン５との通信チャンネルを切り替えるためのチャンネル６３が設けられている。
【００２１】
（１−９）通信部
通信部６０を図５、図６及び図８を主に使用して設営する。
通信部６０は、リモコン５へ信号を送信する送信素子６１と、リモコン５からの信号を受信する受信素子６７とを有している。
送信素子６１は上記のようにセンタカバー部３７の蓋部５７に設けられている。受信素子６７は光源部２３の実装基板４１の１つに設けられている。受信素子６７が設けられる実装基板４１は、回路部２５からのケーブルに接続するためのコネクタ６６，６８が設けられている基板である。
【００２２】
（２）透光性カバー
透光性カバー１３は、図３に示すように、ライト本体１１に取り付けられる後カバー７１と、後カバー７１に付け外し自在に取り付けられる前カバー７３とを有する。
【００２３】
（２−１）後カバー
後カバー７１を図２〜図４を主に使用して説明する。
後カバー７１は環状をしている。ここでは、円板状の搭載部２７に対応して円環状をしている。後カバー７１は、円環状の平坦部７５と、平坦部７５の外周縁から後方へと延伸する外筒部７７と、平坦部７５の内周縁から後方へと延伸する内筒部７９とを有している。
内筒部７９の後端縁には周方向に間隔を置いて円環の中心に向かって張り出する係合凸部８１が設けられている。内筒部７９には前カバー７３の筒状部８７の後端部分が嵌合する嵌合溝８３と前カバー７３の係合凸部９５が係合する係合凹部８４とを有している。
後カバー７１は透明な透光性材料から構成されている。平坦部７５は光を拡散させるダイヤカット模様を裏面に有する。
【００２４】
（２−２）前カバー
前カバー７３を図２及び図３を主に使用して説明する。
前カバー７３は、中心に開口を有するドーム状部８５と筒状部８７とからなる第１カバー体８９と、第１カバー体８９の中央に配される第２カバー体９１と、第１カバー体８９と第２カバー体９１との間に介在する第３カバー体９３とを有している。
第１カバー体８９と第２カバー体９１は、透光性材料樹脂に拡散剤（例えば、シリコーン粒子）が混入されてなる、所謂乳白色カバーである。
第３カバー体９３は透明な透光性材料から構成され、裏面が光を拡散させるダイヤカット面となっている。
第１カバー体８９の筒状部８７には外側に突出する係合凸部９５を有し、当該係合凸部９５が後カバー７１の係合凹部８４と係合する。
【００２５】
３．リモコン
リモコン５を図１及び図７を主に利用して説明する。
リモコン５は筐体１０１と操作ユニット１０３とから構成される。リモコン５は、操作者の操作により、シーリングライト３を点灯及び消灯させる信号、節電モードで動作させる信号、明るさ（光度）及び光色を変更させる信号を送信したり、電気代や節電モードが動作している旨を表示したりする。
【００２６】
筐体１０１は、長尺の箱状をし、箱を上下に２分する上ケース１０５と下ケース１０７とから構成される。なお、操作者が操作する側を上側としている。上ケース１０５には、操作ボタン１３１用の複数の開口１０９、通信センサー１４４用の開口１１１及び表示部１２９用の開口１１３が設けられている。ここでの開口１１１，１１３は保護カバー１１５により覆われている。
下ケース１０７は、内部に収容するバッテリ（ここでは乾電池１４２であり、図示を省略する。）を交換するための開口１１７を有し、この開口１１７は開閉自在に蓋体１１９により塞がれる。保護カバー１１５は、複数個の操作ボタン１３１の一部の操作ボタン１３１も覆い、操作ボタン１３１用の開口１２３を有している。
【００２７】
操作ユニット１０３は、操作部１２５と操作回路部１２７と表示部１２９とを有する。
操作部１２５は、複数個の操作ボタン１３１を有し、例えばゴム材料等を利用して一体化されている。
複数個の操作ボタン１３１には、点灯操作ボタン、消灯点灯ボタン、電気代表示ボタン１３１ａや節電操作ボタン１３１ｂ等が含まれている。
操作回路部１２７は、複数個の電子部品（図示省略）と、通信センサー１４４と、複数個の電子部品及び通信センサー１４４が実装される操作基板１３７とを有し、上記機能を発揮するように回路構成されている。なお、通信センサー１４４は、送信素子１３３と受信素子１３５とを有している。
表示部１２９は電気代や動作中の節電モードを表示する。表示部１２９は、電気代や節電モード以外に、例えば時刻や点灯状態等を表示してもよい。表示部１２９は液晶表示手段１４１が利用され、操作基板１３７に設けられている。
【００２８】
４．制御
（１）シーリングライト
（１-１）構造
シーリングライト３のブロック図について図８を利用して説明する。
回路部２５は、例えば、電源手段２０１、供給手段２０３、制御手段２０５を有している。電源手段２０１は商用電源を直流電力に変換する。ここでの電源手段２０１は例えば整流回路２０７及び直流電圧変換回路２０９を含む。
【００２９】
供給手段２０３は制御手段２０５の指示に従って電源手段２０１から出力された直流電力を電球色用のＬＥＤ２１ａ及び昼光色用のＬＥＤ２１ｂに対応するように変換して供給する。ここでの供給手段２０３は例えば電源手段２０１に対して並列に設けられた第１ＰＷＭ回路２１１と第２ＰＷＭ回路２１３と第３ＰＷＭ回路２１４とから構成される。なお、第１ＰＷＭ回路２１１の供給先はＬＥＤ２１ａであり、第２ＰＷＭ回路２１３の供給先はＬＥＤ２１ｂであり、第３ＰＷＭ回路２１４の供給先は常夜灯５９である。
【００３０】
制御手段２０５は、光源部２３や常夜灯５９に電力を供給したり、電力供給を停止したり等の点灯・消灯の制御を行う。制御手段２０５は、通信部６０の受信素子６７を介してリモコン５から受信した指示（信号）に従って電球色用のＬＥＤ２１ａ及び昼光色用のＬＥＤ２１ｂの光出力を制御して、調光及び調色する。
制御手段２０５は、受信素子６７を介して節電モードの設定がされる（節電操作を受け付ける）と、これまでの点灯から節電モードに切り替えて点灯させる。なお、点灯・消灯等の動作制御は制御手段２０５が第１ＰＷＭ回路２１１、第２ＰＷＭ回路２１３及び第３ＰＷＭ回路２１４に出力するデューティ比により行われる。
【００３１】
制御手段２０５はＬＥＤ２１ａ，２１ｂの消費電力値の算出を行う。制御手段２０５は通信部６０の受信素子６７を介してリモコン５から消費電力値要求の信号を受信すると、算出した消費電力値を送信素子６１を介してリモコン５へと送信する。
ここでの制御手段２０５は例えばＣＰＵ２１５、時間カウンタ２１７、メモリー２１９、ブザー２２０等を含む。なお、時間カウンタ２１７は時間を計測する時間計測回路の一例である。
【００３２】
ＣＰＵ２１５は、リモコン５から節電モードの設定信号を受信すると節電モードで点灯し、リモコン５から節電モードの解除信号を受信すると節電モードでの点灯をデフォルトで設定されている通常点灯に切り替える。
ＣＰＵ２１５はリモコン５の指示に従って当該指示に対応するデューティ比をメモリー２１９から取得して第１ＰＷＭ回路２１１、第２ＰＷＭ回路２１３及び場合によっては第３ＰＷＭ回路２１４に出力する。ＣＰＵ２１５はＬＥＤ２１ａ，２１ｂを発光させると、一定時間点灯毎に消費電力値を算出してメモリー２１９に累積させて記憶する。消費電力値の算出は、第１ＰＷＭ回路２１１及び第２ＰＷＭ回路２１３に出力したデューティ比に対応する電流・電圧と、時間カウンタ２１７から取得した点灯時間とから計算される。ＣＰＵ２１５は、リモコン５から消費電力値要求を受信すると、メモリー２１９に記憶している消費電力値を送信する。
【００３３】
時間カウンタ２１７はＣＰＵ２１５からの指示により時間の計測（カウント）を開始する。ＣＰＵ２１５からの指示は、例えば、節電モードの設定時、点灯の開始（消費電力算出用である。）時である。
メモリー２１９は、リモコン５から送信されてくる点灯条件（明るさや光色である。）に対応する第１ＰＷＭ回路２１１及び第２ＰＷＭ回路２１３のデューティ比やそのデューティ比に対応する電流・電圧等を記憶する他、ＣＰＵ２１５が算出した消費電力値を記憶する。なお、メモリー２１９は電源供給がなくても記憶保持できる不揮発性メモリーである。
ブザー２２０は、リモコン５から点灯信号を受信した際にその受信を使用者に知らせるブザー音を発生したり、節電モード中の点灯条件の変化に合わせてブザー音を発生する。なお、ブザー２２０は、回路部２５の回路基板４７に設けられている。
【００３４】
（２−２）節電モード
節電モードを図９を利用して説明する。
節電モードは、設定時（節電操作を受け付けたとき）の点灯から徐々に暗くした後に常夜灯５９を点灯させ、その後に消灯するようなモードである。ここでは、節電モード設定時の点灯（設定時点灯）の第１の明るさＩ１を第１の時間Ｔ１の期間維持し、その後設定時点灯よりも暗い第２の明るさＩ２にして第２の時間Ｔ２の期間点灯させる。第２の時間Ｔ２が終了すると、常夜灯５９を第３の明るさＩ３で第３の時間Ｔ３の期間点灯させた後、消灯する。
ここで、第１の時間Ｔ１は第２の時間Ｔ２よりも長く、第２の時間Ｔ２は第３の時間Ｔ３よりも長い。また、第１の明るさＩ１は第２の明るさＩ２よりも明るく、第２の明るさＩ２は第３の明るさＩ３よりも明るい。具体的な時間の例としては、第１の時間Ｔ１が３時間、第２の時間Ｔ２が１０分、第３の時間Ｔ３が３分である。
なお、節電モード中の第１の時間Ｔ１及び第２の時間Ｔ２中に、使用者がリモコン５により明るさを変更した場合は、当該変更が優先される。
例えば、第１の時間Ｔ１中に第１の明るさＩ１が変更された場合、第２の明るさＩ２は変更後の第１の明るさＩ１を基準にして決定される。第２の時間Ｔ２中に第２の明るさＩ２が変更された場合、第２の時間Ｔ２経過後に、第２の明るさＩ２の変更に関係なく補助光源部（５９）が第３の明るさＩ３で点灯される。
【００３５】
（２−３）フローチャート
本例の照明装置１は、壁スイッチの「ＯＮ」、「ＯＦＦ」やリモコン５の「ＯＮ」、「ＯＦＦ」操作でシーリングライト３が点灯・消灯し、リモコン５の「節電モード」操作でシーリングライト３が節電モードで点灯・消灯する。
節電モードを動作させるときのＣＰＵ２１５のフローチャートについて図１０を利用して説明する。
【００３６】
壁スイッチが「ＯＮ」されるとＣＰＵ２１５のプログラムはスタートする。ＣＰＵ２１５は、壁スイッチの「ＯＮ」により電力供給がなされると初期値（デフォルト）の点灯条件で点灯し（Ｓ１）、計測時間Ｔ、変数Ｋを０（ゼロ）にする（Ｓ３）。
ここでの計測時間Ｔは時間カウンタ２１７が計測する時間であり、「Ｔ＝０（ゼロ）」は時間を計測していないことを示し、「Ｔ」が「０」以外の場合は時間を計測していることを示す。また、変数Ｋは節電モードが動作しているか否かを示す変数であり、「Ｋ＝０（ゼロ）」は節電モードで点灯していないことを示し、「Ｋ＝１」は節電モードで点灯していることを示す。
【００３７】
ステップＳ５において壁スイッチが「ＯＦＦ」されたか否かを判定する。壁スイッチが「ＯＦＦ」された場合（「Ｙｅｓ」である。）は消灯（Ｓ７）して終了する。壁スイッチが「ＯＦＦ」されていない場合（「Ｎｏ」である。）はステップＳ９に進む。
【００３８】
ステップＳ９においてリモコン５から「ＯＮ」信号を受信したか否かを判定する。「ＯＮ」信号はシーリングライト３の点灯を指示する信号である。「ＯＮ」信号を受信している場合（「Ｙｅｓ」である。）は点灯処理（Ｓ１１）を行ってステップＳ１３に進み、「ＯＮ」信号を受信していない場合（「Ｎｏ」である。）はステップＳ１３に進む。なお、点灯中に「ＯＮ」信号を受信した場合はそのまま点灯を続ける。
【００３９】
ステップＳ１３においてリモコン５から「ＯＦＦ」信号を受信したか否かを判定する。「ＯＦＦ」信号はシーリングライト３の消灯を指示する信号である。「ＯＦＦ」信号を受信している場合（「Ｙｅｓ」である。）は消灯処理（Ｓ１５）を行ってステップＳ１７に進み、「ＯＦＦ」信号を受信していない場合（「Ｎｏ」である。）はステップＳ１７に進む。
なお、節電モードの点灯中にリモコン５から「ＯＦＦ」信号を受信すると、節電モードのプログラムはそのまま継続して（時間カウンタ２１７の時間カウントは継続している）、点灯だけ中断（消灯）する。なお、「ＯＦＦ」信号によって点灯を中断（消灯）した状態を「節電モード中の消灯状態」という。節電モード中の消灯状態で「ＯＮ」信号を受信すると、節電モードの点灯が中断なく継続していた場合と同じ点灯条件（明るさ）で点灯が開始される。
【００４０】
ステップＳ１７において変数Ｋが「１」であるか否かを判定する。「Ｋ＝１」の場合（「Ｙｅｓ」である。）はすでに節電モード中であり、そのまま節電モードで継続すべくステップＳ２３に進んで節電モード処理を行う。「Ｋ＝０」の場合（「Ｎｏ」である。）は節電モードが動作しておらず、ステップＳ１９においてリモコン５で節電モードが設定されたか否かを判定する。
【００４１】
ステップＳ１９において節電モードが設定された場合（「Ｙｅｓ」である。）は変数Ｋを「１」にし（Ｓ２１）、ステップＳ２３で節電モード処理を行う。節電モードが設定されていない場合（「Ｎｏ」である。）はステップＳ２５に進む。
【００４２】
ステップＳ２５においてリモコン５で節電モードが解除されたか否かを判定する。解除された場合（「Ｙｅｓ」である。）はデフォルトで設定されている通常点灯に切り替えて通常点灯した（Ｓ２７）後ステップＳ５に戻る。節電モードが解除されていない場合（「Ｎｏ」である。）はステップＳ５に戻る。
【００４３】
（２−４）点灯処理（ステップＳ１１）
点灯処理について図１１を利用して説明する。
処理がスタートすると、変数Ｌが「１」であるか否かを判定する（Ｓ３１）。変数Ｌは節電モード中の点灯・消灯状態を示す変数である。「０（ゼロ）」は節電モード中の消灯した状態を示し、「１」は節電モード中の点灯した状態を示す。
変数Ｌが「１」でない場合（「Ｎｏ」である。）は点灯中であるか否かを判定する（Ｓ３３）。本ステップにおいて点灯中と判定された場合（「Ｙｅｓ」である。）は、そのまま継続して点灯し（Ｓ３５）、メインルーチンに戻る。
【００４４】
ステップＳ３１において変数Ｌが「１」である場合（「Ｙｅｓ」である。）は、節電モードで消灯状態中での点灯指示であり、その後点灯するために節電モード中の点灯であることを示す変数Ｌを「０」として（Ｓ３７）、メインルーチンに戻る。なお、ここでは点灯せずに節電モード処理（Ｓ２３）で点灯させるようにしている。
ステップＳ３３において点灯中でない場合（「Ｎｏ」である。）は節電モード中での消灯でなく通常の消灯であることを意味し、通常点灯を行って（Ｓ３９）、メインルーチンに戻る。
【００４５】
（２−５）消灯処理（Ｓ１５）
消灯処理について図１２を利用して説明する。
処理がスタートすると、変数Ｌが「１」であるか否かを判定する（Ｓ４１）。変数Ｌが「１」でない場合（「Ｎｏ」である。）は点灯中であるか否かを判定する（Ｓ４３）。本ステップにおいて点灯中と判定された場合（「Ｙｅｓ」である。）は、その点灯が節電モードでの点灯か否かを示す変数Ｋが「１」であるか否かを判定する（Ｓ４５）。
【００４６】
ステップＳ４５において変数Ｋが「１」である場合（「Ｙｅｓ」である。）は、節電モードでの消灯状態を表す変数Ｌを「１」とした（Ｓ４７）後、消灯させて（Ｓ４９）、メインルーチンへ戻る。
【００４７】
ステップＳ４１において変数Ｌが「１」である場合はすでに消灯しており、そのままサブルーチンへと戻る。
ステップＳ４３において点灯中でない場合（「Ｎｏ」である。）はそのままサブルーチンへと戻る。
ステップＳ４５において変数Ｋが「１」でない場合（「Ｎｏ」である。）は、通常点灯中であり、消灯させた（Ｓ４９）後、メインルーチンへ戻る。
【００４８】
（２−６）節電モード処理
節電モード処理について図１３を利用して説明する。
処理がスタートすると、時間カウンタ２１７が計測する計測時間Ｔが「０」であるか否かを判定する（Ｓ５１）。計測時間Ｔが「０」でない場合（「Ｎｏ」である。）は、時間カウンタ２１７は時間計測を開始しているため、ステップＳ５３に進む。計測時間Ｔが「０」の場合（「Ｙｅｓ」である。）は時間カウンタ２１７は時間計測を開始していないため、時間カウンタ２１７に時間のカウントをスタートさせて（Ｓ５２）、ステップＳ５３に進む。
【００４９】
ステップＳ５３において変数Ｌが「１」であるか否かを判定する。変数Ｌが「１」である場合は消灯中であるためそのままメインルーチンへ戻る。
ステップＳ５３において変数Ｌが「１」でない場合（「Ｎｏ」である。）は、節電モードの設定開始又は節電モード中であり、計測時間Ｔが「Ｔ１」未満か否かを判定する（Ｓ５５）。計測時間Ｔが第１の時間Ｔ１未満の場合（「Ｙｅｓ」である。）は現状の点灯（第１の明るさＩ１）を維持し（Ｓ５７）、計測時間Ｔが「Ｔ１」を超えている場合（「Ｎｏ」である。）はステップＳ５９に進む。
【００５０】
ステップＳ５９において計測時間Ｔが「Ｔ２」未満か否かを判定する。計測時間Ｔが第２の時間Ｔ２未満の場合（「Ｙｅｓ」である。）は、変数Ｍ１が「０」であるか否かを判定する（Ｓ６１）。変数Ｍ１は第１の明るさＩ１を半分にした第２の明るさＩ２で点灯させているか否かを示す変数である。「０（ゼロ）」は点灯させていない場合であり、「１」は点灯させている場合である。
変数Ｍ１が「０」の場合（「Ｙｅｓ」である。）は変数Ｍ１を「１」とすると共にブザー２２０にブザー音を発生させた（Ｓ６３）後、明るさを半分（第２の明るさＩ２）に設定し（Ｓ６５）、その設定で点灯させる（Ｓ６７）。変数Ｍ１が「０」でない場合（「ＮＯ」である。）は第２の明るさＩ２の設定が終わっており、そのままの設定で点灯させて（Ｓ６７）、メインルーチンに戻る。
【００５１】
ステップＳ７１において計測時間Ｔが「Ｔ３」未満か否かを判定する。計測時間Ｔが第３の時間Ｔ３未満の場合（「Ｙｅｓ」である。）は、常夜灯５９を点灯させていることを示す変数Ｍ２が「０」であるか否かを判定する（Ｓ７３）。変数Ｍ２は常夜灯５９を点灯させているか否かを示す変数である。「０（ゼロ）」は点灯させていない場合であり、「１」は点灯させている場合である。
変数Ｍ２が「０」の場合（「Ｙｅｓ」である。）は変数Ｍ２を「１」とすると共にブザー２２０にブザー音を発生させた（Ｓ７５）後、光源部２３を消灯させて第３ＰＷＭ回路２１４に常夜灯５９を第３の明るさＩ３で点灯させて（Ｓ７７）、メインルーチンに戻る。変数Ｍ２が「０」でない場合（「ＮＯ」である。）はそのまま第３ＰＷＭ回路２１４に常夜灯５９を第３の明るさＩ３で点灯させて（Ｓ７７）、メインルーチンに戻る。
【００５２】
ステップＳ７１において計測時間Ｔが第３の時間Ｔ３を超えている場合（「Ｎｏ」である。）は、常夜灯５９を消灯させると共にブザー２２０にブザー音を発生させて（Ｓ７９）、変数Ｋ，Ｍ１，Ｍ２，Ｌを「０」にし、時間カウンタ２１７を停止させて計測時間Ｔを「０」にして（Ｓ８１）、メインルーチンへ戻る。
【００５３】
（３）リモコン
（３−１）構造
リモコン５のブロック図について図１４を利用して説明する。
操作回路部１２７は、例えば、ＣＰＵ２５１、メモリー２５３、時間カウンタ２５５、時計２５７を有している。操作回路部１２７は、操作ボタン１３１、液晶表示手段１４１、バッテリ、通信センサー１４４に接続されている。なお、バッテリはここでは乾電池１４２が利用されている。
操作回路部１２７は、操作者が行う操作ボタン１３１の操作内容を受け付けたり、受け付けた内容を液晶表示手段１４１に表示させたり、受け付けた内容を通信センサー１４４の送信素子１３３からシーリングライト３に送信したり、シーリングライト３から送信された消費電力値を通信センサー１４４の受信素子１３５から受信したりする。なお、操作回路部１２７は乾電池１４２から受電する。
【００５４】
ＣＰＵ２５１は節電操作ボタン１３１ｂの設定操作を受け付けると設定信号を送信素子１３３から送信する。これに合せてＣＰＵ２５１は設定モードが動作中である旨を表示するように液晶表示手段１４１に指示する。ＣＰＵ２５１は節電操作ボタン１３１ｂの解除操作を受け付けると解除信号を送信素子１３３から送信し、表示されていた「節電モード」を消すように液晶表示手段１４１に指示する（非表示とする）。
ＣＰＵ２５１は、電気代表示ボタン１３１ａの操作を受け付けると、消費電力値要求の信号を送信素子１３３から送信する。ＣＰＵ２５１は、受信素子１３５から消費電力値を受け付けると、受け付けた消費電力値に電力の目安単価を掛けて算出した電気代を液晶表示手段１４１に表示させる。
【００５５】
（３−２）フローチャート
節電モードに関するリモコン５のＣＰＵ２５１のフローチャートについて図１５を利用して説明する。
リモコン５内に乾電池１４２がセットされるとＣＰＵ２５１のプログラムはスタートする。ＣＰＵ２５１は、スタートすると、操作者が点灯操作ボタンを操作したか否かを判定する。つまり、点灯が要求された否かを判定する（Ｓ１０１）。
ステップＳ１０１において点灯要求がされている場合（「Ｙｅｓ」である。）は「ＯＮ」信号を送信素子１３３から送信し（Ｓ１０３）、ステップＳ１０５に進む。点灯要求されていない場合（「Ｎｏ」である。）はステップＳ１０５に進む。
【００５６】
ステップＳ１０５において操作者が消灯操作ボタンを操作したか否かを判定する。つまり、消灯が要求された否かを判定する。消灯要求がされている場合（「Ｙｅｓ」である。）は「ＯＦＦ」信号を送信素子１３３から送信し（Ｓ１０７）、ステップＳ１０９に進む。消灯要求されていない場合（「Ｎｏ」である。）はステップＳ１０９に進む。
【００５７】
ステップＳ１０９において操作者が節電操作ボタン１３１ｂを設定操作したか否かを判定する。つまり、節電モードが設定されたか否かを判定する。設定された場合（「Ｙｅｓ」である。）は「設定」信号を送信素子１３３から送信し、設定された旨を液晶表示手段１４１に表示し、設定された旨を示す変数Ｅを「１」とし、時間カウンタ２５５をスタートさせる（Ｓ１１１）。そしてステップＳ１１３へと進む。
ステップＳ１０９において節電モードが設定されない場合（「Ｎｏ」である。）はステップＳ１１３に進む。なお、節電モードの設定は節電操作ボタン１３１ｂの長押しにより行われる。
【００５８】
ステップＳ１１３において操作者が節電操作ボタン１３１ｂを解除操作したか否かを判定する。つまり、節電モードが解除された否かを判定する。解除された場合（「Ｙｅｓ」である。）は「解除」信号を送信素子１３３から送信し、変数Ｅを「０」として（Ｓ１１５）、ステップＳ１１７へと進む。変数Ｅは節電モードの設定・解除を示す変数である。「０（ゼロ）」は設定されていない（解除されている）場合であり、「１」は設定されている場合である。
ステップＳ１１３において節電モードが解除されていない場合（「Ｎｏ」である。）はステップＳ１１７に進む。
【００５９】
ステップＳ１１７において変数Ｅが「０」であるか否かを判定する。「０」の場合（「Ｙｅｓ」である。）は節電モードが動作しておらず、そのままステップＳ１０１に戻る。「０」でない場合（「Ｎｏ」である。）は節電モードが動作しており、節電モードの動作が終了したか否かを判定する（ステップＳ１２１）。なお、節電モードの終了は時間カウンタ２５５の計測時間により判断される。
終了している場合（「Ｙｅｓ」である。）は節電モードが設定されている旨の液晶表示手段１４１の表示を非表示にして、変数Ｅを「０」として（Ｓ１２３）、ステップＳ１０１に戻る。ステップＳ１２１で終了していない場合（「Ｎｏ」である。）はステップＳ１０１に戻る。
【００６０】
＜変形例＞
以上、実施形態に係る照明装置を説明したが、この実施形態に限られるものではなく、例えば、以下のような変形例であってもよい。また、実施形態と変形例、変形例同士を組み合わせたものであってよい。
また、実施形態や変形例に記載していない例や、要旨を逸脱しない範囲の設計変更があっても本発明に含まれる。
【００６１】
１．ライト
（１）構造
実施形態におけるライトはシーリングライト３であったが、ライトは他のタイプであってもよい。他のタイプとしては、壁掛け式、ペンダント式、埋設式等がある。
実施形態における光源部はＬＥＤにより構成されていたが、光源部は、例えば、蛍光灯、有機ＥＬ素子等により構成されてもよい。
実施形態のライト（シーリングライト３）は調光及び調色可能に構成されていたが、例えば、調光のみ可能な構成であってもよいし、調色のみ可能な構成であってもよいし、また、光度及び光色が一定な構成であってもよい。
【００６２】
（２）回路部
実施形態の回路部２５はＬＥＤ２１へ電力を供給するために信号線式（ＰＷＭ制御）を利用したが、例えば位相制御式であってもよいし、他の方式であってもよい。
実施形態の回路部２５は時間を計測する時間計測回路（時間カウンタ２１７）を有しているが、回路部は時間計測回路を有していなくてもよい。この場合、リモコンから時間情報を受信すればよい。
【００６３】
２．リモコン
（１）構成
実施形態におけるリモコン５は赤外線を利用した無線タイプであるが、例えばライト（３）と配線を通じて接続されている有線タイプであってもよい。また、リモコンは、携帯タイプ（携帯タイプを壁等に固定できるようにしたものも含む。）であってもよいし、固定タイプであってもよい。固定タイプのリモコンの場合、壁スイッチと別に存在してもよいし、壁スイッチと一体化したものであってもよい。実施形態におけるリモコン５はバッテリとして乾電池１４２を交換可能に備えるが、例えばバッテリとして充電式の電池を備えてもよいし、内蔵型の充電池を備えてもよい。
【００６４】
（２）節電モードの動作表示
実施形態では節電モードの動作表示をリモコン５の液晶表示手段１４１で行っているが、他の方法で節電モードの動作を報知してもよい。報知の方法としては例えば、節電操作ボタン１３１ｂの内部にＬＥＤを設けて点灯させる方法等がある。
また、節電モードの動作表示をライト側に設けてもよい。一例としては、センタカバーに光源部の光色と異なる光色のＬＥＤを設け、節電モード中に点灯するようにすればよい。
【００６５】
３．節電モード
（１）内容
実施形態の節電モードは、第１の明るさＩ１を第１の時間Ｔ１点灯させ、第１の時間Ｔ１経過後に第２の明るさＩ２を第２の時間Ｔ２点灯させ、第２の時間Ｔ２経過後に第３の明るさＩ３を第３の時間Ｔ３点灯した後、消灯している。
しかしながら、節電モードは、第１の明るさＩ１を第１の時間Ｔ１点灯させた後、第１の明るさＩ１よりも暗い第２の明るさＩ２で点灯させればよく、第３の明るさＩ３の第３の時間Ｔ３の点灯はなくてもよいし、消灯しなくてもよい。なお、節電効果を考慮すると第３の明るさＩ３での点灯と消灯はあった方がよい。
【００６６】
（２）明るさ
実施形態における第１の明るさＩ１は第１の時間Ｔ１中一定で維持している。しかしながら、ここでの一定維持は、使用者が明るさの変化を認識できないような点灯をいい、光度の数値的な変化があってもよい。
実施形態における第２の時間Ｔ２で点灯させる第２の明るさＩ２は、第１の時間Ｔ１で点灯させた第１の明るさＩ１の半分であったが、半分でなくてもよく、ＬＥＤの製造誤差に基づく明るさの不均一を考慮して、第１の時間Ｔ１で点灯させた第１の明るさＩ１の３０％以上７０％以下の範囲内が好ましい。
【００６７】
実施形態の節電モードでの第２の明るさＩ２は第２の時間Ｔ２の期間一定であるが、第２の明るさＩ２は第１の明るさＩ１に対して３０％以上７０％以下の範囲で変化するようにしてもよい。第２の明るさＩ２の変化は、段階的な変化であってもよいし、連続的な変化であってもよい。ここでいう「段階的な変化」は明るさが一定期間一定でその後に急激に減光することを１回又は複数回繰り返すような変化をいう。「連続的な変化」とは、明るさが一定に維持されることのない変化であり、変化の仕方は直線的であってもよいし、曲線的であってもよい。
実施形態では常夜灯５９を点灯するまでに明るさを１度変化させている。しかしながら、常夜灯を点灯するまでに明るさを２回以上変化させてもよい。
実施形態における第３の時間Ｔ３中は常夜灯５９の明るさを第３の明るさＩ３で一定としているが、例えば第３の時間Ｔ３経過時に合わせて光度が０となるように減光してもよい。
【００６８】
（３）時間
実施形態における第１の時間Ｔ１、第２の時間Ｔ２及び第３の時間Ｔ３は例示であり、他の時間であってもよい。ただし、節電モードの開始から終了までの動作時間は、２時間以上４時間以下の範囲であればよい。
（４）補助光源部
実施形態では第３の時間に常夜灯５９を点灯させている。しかしながら、常夜灯の点灯に変えて通常点灯時に発光するＬＥＤを点灯させてもよい。この場合、常夜灯点灯と同等の明るさで点灯させればよい。
【００６９】
（５）ブザー音
実施形態では第１の時間Ｔ１、第２の時間Ｔ２及び第３の時間Ｔ３経過後にブザー音を発生している。しかしながら、ブザー音は発生しなくてもよい。ただし、消し忘れ等を防止する観点からはブザー音を発生させる方が好ましい。
実施形態のブザー２２０は回路部２５の回路基板４７に設けられていたが、他の部位に設けられてもよい。他の部位としては、ＬＥＤ２１が実装される実装基板４１や、センタカバー部３７の蓋部５７に設けられた送信素子６１が実装されている基板等がある。
【符号の説明】
【００７０】
１    照明装置
３    シーリングライト
５    リモコン
２３    光源部
２０５    制御手段（制御部）
【図１】
2016219160.tif 000003
【図２】
2016219160.tif 000004
【図３】
2016219160.tif 000005
【図４】
2016219160.tif 000006
【図５】
2016219160.tif 000007
【図６】
2016219160.tif 000008
【図７】
2016219160.tif 000009
【図８】
2016219160.tif 000010
【図９】
2016219160.tif 000011
【図１０】
2016219160.tif 000012
【図１１】
2016219160.tif 000013
【図１２】
2016219160.tif 000014
【図１３】
2016219160.tif 000015
【図１４】
2016219160.tif 000016
【図１５】
2016219160.tif 000017